(57)【特許請求の範囲】
【請求項１】
相手側コネクタが接続されることで該相手側コネクタの相手側端子が接続される接続端子を有するコネクタと、
前記コネクタに係合することで、該コネクタの変位を規制すると共に該コネクタを支持する変位規制部と、
前記相手側コネクタが前記コネクタに接続される際に、前記変位規制部による前記コネクタの変位の規制を解除する変位規制解除部と、
を有し、
前記コネクタはフランジ部を備えており、該フランジ部には被係合孔が形成され、
前記変位規制部が、前記被係合孔に係合することで、前記コネクタの変位が規制されると共に該コネクタが支持され、
前記相手側コネクタが前記コネクタに接続された状態では、前記変位規制部の前記被係合孔への係合が外れることで、前記コネクタが前記変位規制部に対して変位して、前記コネクタが前記相手側コネクタに追従するコネクタ支持構造。
【請求項２】
前記フランジ部は、挿通孔が形成された第１支持部と前記変位規制部を有する第２支持部との間に配置されていると共に、該フランジ部は、前記被係合孔に係合した前記変位規制部と前記第１支持部との間で保持されており、
前記変位規制解除部が、前記相手側コネクタに設けられており、
前記変位規制解除部が、前記挿通孔及び前記被係合孔に挿通されて、前記変位規制部を前記第１支持部とは反対側へ押圧して変位させることで、前記変位規制部の前記被係合孔への係合が外れる請求項１記載のコネクタ支持構造。
【請求項３】
前記相手側コネクタの前記コネクタへの接続完了時に、前記変位規制部の変位が規制される請求項２記載のコネクタ支持構造。
【請求項４】
前記コネクタが第１筐体に支持されていると共に、前記相手側コネクタが第２筐体側に設けられており、
前記第２筐体が前記第１筐体側へ相対的に移動されることで、前記相手側コネクタが前記コネクタに接続される請求項１〜請求項３のいずれか１項に記載のコネクタ支持構造。
【発明の詳細な説明】
【技術分野】
【０００１】
本発明は、コネクタ支持構造に関する。
【背景技術】
【０００２】
下記特許文献１には、接続端子を有するコネクタが収容ケースにねじ止めにより取付られるコネクタ支持構造が開示されている。収容ケースに取付けられるコネクタは、接続端子が収容される端子収容孔が形成されたハウジング本体を備えており、このハウジング本体に相手側コネクタのハウジング本体が係合されることで、接続端子と相手側コネクタの相手側端子とが接続されるようになっている。
【先行技術文献】
【特許文献】
【０００３】
【特許文献１】特開２００９−１９９９９２号公報
【発明の概要】
【発明が解決しようとする課題】
【０００４】
しかしながら、上記特許文献１に記載されたコネクタ支持構造では、コネクタが収容ケースにねじ止めにより取付けられる構成とされているため、当該コネクタが収容ケースに取付けられた後の状態では、当該コネクタは収容ケースに対して変位することができない。そのため、収容ケースが振動した際に接続端子と相手側端子とが摺動して互いに摩耗することが考えられる。
【０００５】
本発明は上記事実を考慮し、接続端子と相手側端子とが摺動することによる摩耗を抑制することができるコネクタ支持構造を得ることが目的である。
【課題を解決するための手段】
【０００６】
請求項１記載のコネクタ支持構造は、相手側コネクタが接続されることで該相手側コネクタの相手側端子が接続される接続端子を有するコネクタと、前記コネクタに係合することで、該コネクタの変位を規制すると共に該コネクタを支持する変位規制部と、前記相手側コネクタが前記コネクタに接続される際に、前記変位規制部による前記コネクタの変位の規制を解除する変位規制解除部と、を有し、前記コネクタはフランジ部を備えており、該フランジ部には被係合孔が形成され、前記変位規制部が、前記被係合孔に係合することで、前記コネクタの変位が規制されると共に該コネクタが支持され、前記相手側コネクタが前記コネクタに接続された状態では、前記変位規制部の前記被係合孔への係合が外れることで、前記コネクタが前記変位規制部に対して変位して、前記コネクタが前記相手側コネクタに追従する。
【０００７】
請求項２記載のコネクタ支持構造は、請求項１記載のコネクタ支持構造において、前記フランジ部は、挿通孔が形成された第１支持部と前記変位規制部を有する第２支持部との間に配置されていると共に、該フランジ部は、前記被係合孔に係合した前記変位規制部と前記第１支持部との間で保持されており、前記変位規制解除部が、前記相手側コネクタに設けられており、前記変位規制解除部が、前記挿通孔及び前記被係合孔に挿通されて、前記変位規制部を前記第１支持部とは反対側へ押圧して変位させることで、前記変位規制部の前記被係合孔への係合が外れる。
【０００８】
請求項３記載のコネクタ支持構造は、請求項２記載のコネクタ支持構造において、前記相手側コネクタの前記コネクタへの接続完了時に、前記変位規制部の変位が規制される。
【０００９】
請求項４記載のコネクタ支持構造は、請求項１〜請求項３のいずれか１項に記載のコネクタ支持構造において、前記コネクタが第１筐体に支持されていると共に、前記相手側コネクタが第２筐体側に設けられており、前記第２筐体が前記第１筐体側へ相対的に移動されることで、前記相手側コネクタが前記コネクタに接続される。
【発明の効果】
【００１０】
請求項１記載のコネクタ支持構造では、相手側コネクタがコネクタに接続される前の状態では、コネクタの変位が変位規制部により規制されている。また、相手側コネクタがコネクタに接続されると、変位規制解除部が、変位規制部によるコネクタの変位の規制を解除する。これにより、相手側コネクタのコネクタへの接続完了時においては、コネクタは相手側コネクタに追従して変位することが可能となる。その結果、コネクタの接続端子と相手側コネクタの相手側端子とが摺動することによる摩耗を抑制することができる。
【００１１】
請求項２記載のコネクタ支持構造では、相手側コネクタをコネクタに接続する際に、当該相手側コネクタに設けられた変位規制解除部が変位規制部を変位させる。これにより、変位規制部によるコネクタの変位の規制を解除させることができる。
【００１２】
請求項３記載のコネクタ支持構造では、相手側コネクタのコネクタへの接続完了時に、変位規制部の変位が規制される。これにより、コネクタを変位規制部が設けられた部材の所定の位置に配置させることができる。
【００１３】
請求項４記載のコネクタ支持構造では、相手側コネクタがコネクタに接続される前の状態では、コネクタの変位が変位規制部により規制されている。すなわち、コネクタが第１筐体の所定の位置に支持されている。この状態で、相手側コネクタが設けられた第２筐体をコネクタが支持された第１筐体側へ相対的に移動することで、相手側コネクタがコネクタに接続される。また、相手側コネクタがコネクタに接続される際に、変位規制解除部が、変位規制部によるコネクタの変位の規制を解除する。これにより、相手側コネクタのコネクタへの接続完了時においては、コネクタは相手側コネクタに追従して変位することが可能となる。その結果、第１筐体又は第２筐体が振動した際に、コネクタの接続端子と相手側コネクタの相手側端子とが摺動することによる摩耗を抑制することができる。
【図面の簡単な説明】
【００１４】
【図１】第１筐体に支持された待受コネクタ及び第２筐体側に設けられた相手側コネクタを示す斜視図である。
【図２】相手側コネクタが待受コネクタに接続される前の状態の相手側コネクタ及び待受コネクタ等の断面を模式的に示す断面図である。
【図３】相手側コネクタが待受コネクタに接続される際の相手側コネクタ及び待受コネクタ等の断面を模式的に示す断面図である。
【図４】相手側コネクタの待受コネクタへの接続が完了した状態の相手側コネクタ及び待受コネクタ等の断面を模式的に示す断面図である。
【発明を実施するための形態】
【００１５】
図１〜図４を用いて本発明の実施形態に係るコネクタ支持構について説明する。
【００１６】
図１に示されるように、本実施形態のコネクタ支持構造は、第１筐体１０に支持されたコネクタとしての待受コネクタ１２、第２筐体１４側に設けられた相手側コネクタ１６、及び第１筐体１０に設けられた待受コネクタ支持部１８に適用されている。以下、先ず相手側コネクタ１６について説明し、次いで待受コネクタ１２について説明し、最後に第１筐体１０に設けられた待受コネクタ支持部１８について説明する。
【００１７】
（相手側コネクタ１６）
図１及び図２に示されるように、相手側コネクタ１６は、絶縁性の材料を用いて形成された相手側ハウジング２０と、相手側ハウジング２０に支持された複数の相手側端子２２と、相手側ハウジング２０に固定された固定片２４と、を含んで構成されている。
【００１８】
相手側ハウジング２０は、後述する待受コネクタ１２側が開放された矩形箱状に形成されており、この相手側ハウジング２０は、相手側端子２２を支持する底壁２６と、底壁２６の外周部から待受コネクタ１２側に向けて屈曲して延びる側壁２８と、を備えている。そして、底壁２６及び側壁２８によって、後述する待受コネクタ１２の嵌合部４０が嵌合する嵌合凹部３０が形成されている。また、相手側ハウジング２０は、当該相手側ハウジング２０の長手方向両側に配置された一対の側壁２８と隣合って配置された一対のベース部３２を備えている。このベース部３２には、Ｌ字状に折曲げられた固定片２４の一端部が接着剤やインサート成形により固定されている。そして。固定片２４の他端部が、第２筐体１４内に配置される回路基板３３にハンダ付けで固定されることで、相手側ハウジング２０が回路基板３３に固定される、すなわち、相手側コネクタ１６が回路基板３３に固定されるようになっている。なお、相手側端子２２の回路基板３３側の端部もハンダ付けで回路基板３３に接合されている。
【００１９】
また、相手側ハウジング２０のベース部３２からは待受コネクタ１２側に向けて延びる角柱状の変位規制解除部３４が設けられており、この変位規制解除部３４の先端は、嵌合凹部３０の開放端よりも待受コネクタ１２側に位置している。
【００２０】
以上説明した相手側コネクタ１６は、回路基板３３が第２筐体１４内に収容された状態において、当該第２筐体１４に設けられた図示しない開口部から突出している。
【００２１】
（待受コネクタ１２）
待受コネクタ１２は、絶縁性の材料を用いて形成された待受ハウジング３６と、待受ハウジング３６に支持された複数の接続端子としての待受端子３８と、を含んで構成されている。
【００２２】
待受ハウジング３６は、矩形ブロック状に形成されていると共に相手側コネクタ１６に形成された嵌合凹部３０に嵌合される嵌合部４０を備えている。この嵌合部４０には、相手側端子２２に接続される複数の待受端子３８が支持されている。なお、この待受端子３８には、フレキシブルに曲げ変形することが可能とされた配線４２の一端部が接続されており、これにより、待受端子３８が第１筐体１０内に配置された図示しない回路装置に配線４２を介して接続されるようになっている。また、待受ハウジング３６は、嵌合部４０の長手方向の両端部かつ相手側コネクタ１６とは離間する側の端部から延びる板状の一対のフランジ部４４を備えている。このフランジ部４４には、円形の被係合孔４６が形成されていると共に、この被係合孔４６の内径は、変位規制解除部３４の外径に比して大きく設定されている。
【００２３】
（待受コネクタ支持部１８）
図２に示されるように、待受コネクタ支持部１８は、待受コネクタ１２のフランジ部４４を支持する第１支持部４８及び第２支持部５０を含んで構成されている。
【００２４】
第１支持部４８は、略Ｌ字状に形成されており、この第１支持部４８は、待受ハウジング３６のフランジ部４４の相手側コネクタ１６側の面４４Ａが当接する当接壁部５２と、当接壁部５２の端部から相手側コネクタ１６とは離間する方向へ延びる規制壁部５４と、を備えている。当接壁部５２には、相手側ハウジング２０の変位規制解除部３４が挿通される挿通孔５６が形成されており、この挿通孔５６の内径は、変位規制解除部３４の外径に比して大きく設定されている。また、規制壁部５４は、後述する変位規制部６４によって待受コネクタ１２の変位が規制されている状態で待受ハウジング３６のフランジ部４４と離間している。
【００２５】
第２支持部５０は、第１支持部４８よりも相手側コネクタ１６とは離間する側において当該第１支持部４８と対向して設けられている。具体的には、第２支持部５０は、待受ハウジング３６のフランジ部４４の相手側コネクタ１６とは反対側の面４４Ｂと対向して延びる対向壁部５８を備えている。また、第２支持部５０は、対向壁部５８における待受ハウジング３６の嵌合部４０側の端部から第１支持部４８側に向けて突出する第１凸状部６０と、対向壁部５８における待受ハウジング３６の嵌合部４０とは反対側の端部から第１支持部４８側に向けて突出する第２凸状部６２と、を備えている。さらに、第２支持部５０は、第１凸状部６０から第１支持部４８側に向けて延びる変位規制部６４を備えている。この変位規制部６４は、待受ハウジング３６のフランジ部４４に形成された被係合孔４６に係合することで待受コネクタ１２の変位を規制する先端部６６と、先端部６６と第１凸状部６０とを繋ぐ腕部６８と、を備えている。また、腕部６８は、待受ハウジング３６のフランジ部４４から離間する側に向かうにつれて第１凸状部６０側に向けて傾斜されている。そして、図３に示されるように、相手側コネクタ１６が待受コネクタ１２に接続される際に、先端部６６が変位規制解除部３４に押圧されて第２腕部６８の第１凸状部６０側の部位が変形されることで、先端部６６と被係合孔４６との係合が解除されるようになっている。そして、図４に示されるように、相手側コネクタ１６の待受コネクタ１２への接続完了時に、先端部６６が第２凸状部６２に当接することで、先端部６６のそれ以上の変位が規制されるようになっている。また、本実施形態では、相手側コネクタ１６の待受コネクタ１２への接続が完了した状態では、待受ハウジング３６のフランジ部４４と変位規制部６４の先端部６６との間に所定のクリアランスＣ１が形成されると共に、待受ハウジング３６のフランジ部４４と第１支持部４８の当接壁部５２との間に所定のクリアランスＣ２が形成されるように相手側ハウジング２０、待受ハウジング３６及び待受コネクタ支持部１８の各部の寸法等が設定されている。
【００２６】
図２に示されるように、以上説明した待受コネクタ１２は、待受ハウジング３６のフランジ部４４に形成された被係合孔４６内に変位規制部６４の先端部６６が配置された状態で、当該フランジ部４４が第１支持部４８の当接壁部５２と変位規制部６４との間で保持されることで、第２筐体１４に支持されるようになっている。
【００２７】
（本実施形態の作用並びに効果）
次に、本実施形態の作用並びに効果について説明する。
【００２８】
以上説明した本実施形態では、図２に示されるように、相手側コネクタ１６が待受コネクタ１２に接続される前の状態では、変位規制部６４の先端部６６が被係合孔４６に係合されている。これにより、待受コネクタ１２の変位が規制されている。すなわち、待受コネクタ１２が第１筐体１０（図１参照）の所定の位置に支持されている。
【００２９】
この状態で、相手側コネクタ１６が設けられた第２筐体１４を待受コネクタ１２が支持された第１筐体１０側へ相対的に移動することで、図３及び図４に示されるように、相手側コネクタ１６が待受コネクタ１２に接続される。また、図２に示されるように、相手側コネクタ１６が待受コネクタ１２に接続される際に、相手側コネクタ１６に設けられた変位規制解除部３４が第１支持部４８の当接壁部５２に形成された挿通孔５６及び待受コネクタ１２の待受ハウジング３６のフランジ部４４に形成された被係合孔４６に挿入されると共に、変位規制解除部３４が、変位規制部６４の先端部６６を押圧して、先端部６６と被係合孔４６との係合を解除する。そして、図４に示されるように、変位規制部６４の先端部６６が第２凸状部６２に当接する位置まで第２筐体１４が第１筐体１０側へ相対的に移動されることで、相手側コネクタ１６の待受コネクタ１２への接続が完了する。
【００３０】
ここで、本実施形態では、相手側コネクタ１６の待受コネクタ１２への接続が完了した状態では、待受コネクタ１２は相手側コネクタ１６に追従して変位することが可能となる。その結果、第１筐体１０又は第２筐体１４が振動した際に、待受コネクタ１２の待受端子３８と相手側コネクタ１６の相手側端子２２とが摺動することによる摩耗を抑制することができる。
【００３１】
また、本実施形態では、相手側コネクタ１６の待受コネクタ１２への接続完了時に、変位規制部６４の先端部６６が第２凸状部６２に当接して、変位規制部６４の先端部６６の相手側コネクタ１６とは離間する側への変位が規制されるようになっている。これにより、相手側コネクタ１６の待受コネクタ１２への接続完了時に、待受コネクタ１２を変位規制部６４が設けられた第１筐体１０の所定の位置に配置させることができる。
【００３２】
なお、本実施形態では、相手側コネクタ１６の待受コネクタ１２への接続完了時に、変位規制部６４の先端部６６の変位が規制されるように構成した例について説明したが、本発明はこれに限定されない。相手側コネクタ１６の待受コネクタ１２への接続完了時に、変位規制部６４の先端部６６の変位が規制されるように構成するか否かについては、相手側コネクタ１６の待受コネクタ１２への接続完了時における、待受コネクタ１２の位置精度等を考慮して適宜設定すればよい。
【００３３】
また、本実施形態では、相手側コネクタ１６に設けられた変位規制解除部３４が、変位規制部６４の先端部６６を押圧して変位させることで、先端部６６と被係合孔４６との係合を解除するように構成した例について説明したが、本発明はこれに限定されない。例えば、相手側コネクタ１６に設けられた変位規制解除部３４が、待受コネクタ１２の変位を規制する変位規制部を破壊すること等によって、待受コネクタ１２の変位規制部により規制を解除するように構成することもできる。
【００３４】
さらに、本実施形態では、変位規制解除部３４を相手側コネクタ１６に設けた例について説明したが、本発明はこれに限定されない。例えば、上記変位規制解除部３４に対応する部位を第２筐体１４に設けた構成とすることもできる。
【００３５】
以上、本発明の一実施形態について説明したが、本発明は、上記に限定されるものでなく、その主旨を逸脱しない範囲内において上記以外にも種々変形して実施することが可能であることは勿論である。
【符号の説明】
【００３６】
１０   第１筐体
１２   待受コネクタ（コネクタ）
１４   第２筐体
１６   相手側コネクタ
２２   相手側端子
３４   変位規制解除部
３８   待受端子（接続端子）
６４   変位規制部
【図１】
0006475070.tif 000002
【図２】
0006475070.tif 000003
【図３】
0006475070.tif 000004
【図４】
0006475070.tif 000005